(57)【要約】【課題】吐出溝１２への摩耗粉の堆積を無くすことにより、摺動部クリアランスへの摩耗粉の噛み込みを防止すること。【解決手段】リングの下側（地方向）に配置されるプレート４には、吸入溝１０と吸入口１１、及び吐出溝１２と吐出口１３が設けられている。　吐出溝１２は、ロータ７の回転に伴ってポンプ室の容積が減少する領域に設けられ、リングの内周面に沿って円弧状に形成されている。　吐出口１３は、吐出溝１２のロータ回転方向の端部（終端部）に連通し、その吐出溝１２から地方向に向けて開口している。これにより、ポンプ室から吐出溝１２に流れ込んだ摩耗粉は、吐出溝１２の終端部に堆積することなく、作動流体の流れと共に吐出口１３より効果的に排出されるので、摺動部クリアランスへの摩耗粉の噛み込みを防止できる。【選択図】　　図１
2004076735.tif 000002
【特許請求の範囲】
【請求項１】
　円形または楕円形状に開口するロータ室と、
　このロータ室に連通する吸入口及び吐出口と、
　前記ロータ室に回転可能に配置され、複数のベーン溝を有するロータと、
　前記ベーン溝に往復動可能に収納され、前記ロータの回転時に自身の先端部が前記ロータ室の内周面に摺接するベーンとを備え、
　前記ロータ室の内周面と前記ロータの外周面との間で前記ベーンによって区画され、且つその容積が前記ロータの回転に伴って変化するポンプ室を形成し、このポンプ室の容積が増大する時に前記吸入口より前記ポンプ室に作動流体を導入し、前記ポンプ室の容積が減少する時に前記吐出口より前記ポンプ室の作動流体を吐出するベーンポンプであって、　前記ポンプ室の容積が減少する領域に前記ポンプ室と前記吐出口とを連通する吐出溝が凹設され、この吐出溝のロータ回転方向の端部に前記吐出口が連通していることを特徴とするベーンポンプ。
【請求項２】
　請求項１に記載したベーンポンプにおいて、
　前記吐出溝のロータ回転方向の終端面と、前記吐出口のロータ回転方向の側面とは、一つの連続的な面として接続されていることを特徴とするベーンポンプ。
【請求項３】
　請求項１に記載したベーンポンプにおいて、
　前記吐出口のロータ回転方向の側面は、前記吐出溝のロータ回転方向の終端面より反ロータ回転方向に位置し、前記吐出口のロータ回転方向の側面と前記吐出溝のロータ回転方向の終端面との間に設けられる段差が、前記吐出溝の深さ以下の長さに設定されていることを特徴とするベーンポンプ。
【請求項４】
　請求項１に記載したベーンポンプにおいて、
　前記吐出口のロータ回転方向の側面は、前記吐出溝のロータ回転方向の終端面より更にロータ回転方向に位置していることを特徴とするベーンポンプ。
【請求項５】
　請求項１〜４に記載した何れかのベーンポンプにおいて、
　前記ベーンポンプが使用のため据え付けられた状態にある時に、
　前記吐出溝は、ロータ回転方向の端部を天地方向の略地方向に向けて配置され、前記吐出口は、前記吐出溝のロータ回転方向の端部から天地方向の略地方向に向かって形成されていることを特徴とするベーンポンプ。
【請求項６】
　請求項５に記載したベーンポンプにおいて、
　前記ロータの回転中心軸を天地方向と略直交する方向に向けて使用した時に、　　　　　前記吐出溝は、ロータ回転方向の端部を略地方向に向けて配置され、
　前記吐出口は、前記吐出溝のロータ回転方向の端部から略地方向に向かって形成されていることを特徴とするベーンポンプ。
【請求項７】
　請求項５または６に記載したベーンポンプにおいて、
　前記吐出口は、少なくとも一方の側面が前記ロータの回転接線方向に形成されていることを特徴とするベーンポンプ。
【請求項８】
　請求項１〜４に記載した何れかのベーンポンプにおいて、
　前記吐出口は、前記ロータの回転中心軸を略天地方向に向けて使用した時に、　　　　前記吐出溝のロータ回転方向の端部から略地方向に向かって形成された第１の吐出口と、前記ロータの回転中心軸を天地方向と略直交する方向に向けて使用した時に、前記吐出溝のロータ回転方向の端部から略地方向に向かって形成された第２の吐出口とで構成されていることを特徴とするベーンポンプ。
【請求項９】
　円形または楕円形状に開口するロータ室と、
　このロータ室に連通する吸入口及び吐出口と、
　前記ロータ室に回転可能に配置され、複数のベーン溝を有するロータと、
　前記ベーン溝に往復動可能に収納され、前記ロータの回転時に自身の先端部が前記ロータ室の内周面に摺接するベーンとを備え、
　前記ロータ室の内周面と前記ロータの外周面との間で前記ベーンによって区画され、且つその容積が前記ロータの回転に伴って変化するポンプ室を形成し、このポンプ室の容積が増大する時に前記吸入口より前記ポンプ室に作動流体を導入し、前記ポンプ室の容積が減少する時に前記吐出口より前記ポンプ室の作動流体を吐出するベーンポンプであって、　前記ポンプ室の容積が減少する領域に前記ポンプ室と連通して凹設された吐出溝を有し、この吐出溝のロータ回転方向の端部と反回転方向の端部との間に前記吐出口が連通して設けられ、
　前記ベーンポンプが使用のため据え付けられた状態にある時に、前記吐出溝は、ロータ回転方向の端部から前記吐出口に向かって天地方向の略地方向に傾斜していることを特徴とするベーンポンプ。
【請求項１０】
　請求項９に記載したベーンポンプにおいて、
　前記ロータの回転中心軸を略天地方向に向けて使用した時に、前記吐出溝の底面が、ロータ回転方向の端部から前記吐出口に向かって略地方向に傾斜していることを特徴とするベーンポンプ。
【発明の詳細な説明】
【技術分野】
【０００１】
　本発明は、ポンプ室の容積が減少する領域にポンプ室と吐出口とを連通する吐出溝を有するベーンポンプに関する。
【背景技術】
【０００２】
　従来公知のベーンポンプを図２０及び図２１に示す（特許文献１参照）。
　このベーンポンプ100 は、一組のプレート110 、120 によって挟まれたリング130 の内側にロータ室を形成し、そのロータ室にベーン140 を保持するロータ150 が回転可能に収容され、且つロータ150 の回転中心軸がロータ室の中心と偏心した位置に設けられている。これにより、リング130 の内周面とロータ150 の外周面との間にベーン140 によって区画されたポンプ室160 （図２１参照）が形成され、このポンプ室160 の容積がロータ150 の回転に伴って変化する。
【０００３】
　また、図２１に示す様に、ベーンポンプ100 の設置状態におけるリング130 の内壁の鉛直方向下方に位置する部位に、ロータ150 の軸心方向に沿った長溝170 が設けられ、この長溝170 によりベーン140 の摩耗した摩耗粉を収容するようになっている。
　更に、リング130 には、吸入溝180 を介してポンプ室160 に連通する吸入口190 と、ポンプ室160 に連通する吐出口200 とが設けられている。
【０００４】
　吸入溝180 は、ロータ150 の回転に伴ってポンプ室160 の容積が増大する領域に設けられ、リング130 の内周面に沿って円弧状に形成されている。吐出口200 は、ロータ150 の回転（図２１にロータ150 の回転方向を矢印で示す）に伴ってポンプ室160 の容積が減少する領域に設けられ、リング130 の内周面に沿って円弧状に形成されている。
【特許文献１】実開昭５８−１７７５７６号公報
【発明の開示】
【発明が解決しようとする課題】
【０００５】
　ところが、ベーンポンプ100 では、ベーン140 とリング130 及びプレート110 、120 との摺動によって摩耗粉が発生する。この摩耗粉は、一定期間使用毎に、リング130 の底に設けられた栓210 を外して、長溝170 内に収容された摩耗粉を取り除く必要があった。
　このため、摩耗粉を取り除かなければ、堆積した摩耗粉の一部がベーン140 によって掻き出され、摺動部クリアランスに噛み込むことでポンプがロックする虞があった。
【０００６】
　特に、吐出流量が少ないポンプ（例えば自動車のエバポリークチェックに使用されるポンプ）では、ロータ150 を回転駆動するモータの駆動トルクが小さいため、摩耗粉の排出を確実に実施する必要があった。更に、自動車用では、一定期間使用毎に摩耗粉を取り除くことも困難であった。
　本発明は、上記事情に基づいて成されたもので、その目的は、摩耗粉を効果的に排出し、ポンプ内に堆積しないようにして、摺動部クリアランスへの摩耗粉の噛み込みを防止できるベーンポンプを提供することにある。
【課題を解決するための手段】
【０００７】
　（請求項１の発明）
　本発明のベーンポンプは、ポンプ室の容積が減少する領域にポンプ室と吐出口とを連通する吐出溝が凹設され、この吐出溝のロータ回転方向の端部に吐出口が連通していることを特徴とする。
　この構成では、吐出溝のロータ回転方向の端部に吐出口が開口しているので、作動流体と共に吐出溝の端部まで流れてきた摩耗粉は、作動流体の流れに乗って吐出口に流出するため、吐出溝の端部に摩耗粉が堆積するのを防止できる。
【０００８】
　（請求項２の発明）
　請求項１に記載したベーンポンプにおいて、
　吐出溝のロータ回転方向の終端面と、吐出口のロータ回転方向の側面とは、一つの連続的な面として接続されていることを特徴とする。
　この構成では、吐出溝と吐出口との間に段差が形成されないので、作動流体と共に吐出溝の端部まで流れてきた摩耗粉は、吐出溝の端部に堆積することなく、吐出口に滞りなく流出される。
【０００９】
　（請求項３の発明）
　請求項１に記載したベーンポンプにおいて、
　吐出口のロータ回転方向の側面は、吐出溝のロータ回転方向の終端面より反ロータ回転方向に位置し、吐出口のロータ回転方向の側面と吐出溝のロータ回転方向の終端面との間に設けられる段差が、吐出溝の深さ以下の長さに設定されていることを特徴とする。
【００１０】
　この構成では、段差によって形成される吐出溝の角部に摩耗粉が堆積した場合でも、段差の長さが吐出溝の深さ以下に設定されているので、吐出溝の角部に堆積した摩耗粉（堆積物）は、吐出溝の深さ以上に堆積することはなく、吐出口より排出される。その結果、吐出溝の角部に摩耗粉が堆積しても、その摩耗粉がベーンによって吐出溝から掻き出される機会が少なくなるので、摺動部クリアランスへの摩耗粉の噛み込みを低減できる。
【００１１】
　（請求項４の発明）
　請求項１に記載したベーンポンプにおいて、
　吐出口のロータ回転方向の側面は、吐出溝のロータ回転方向の終端面より更にロータ回転方向に位置していることを特徴とする。
　この構成では、作動流体と共に吐出溝の端部まで流れてきた摩耗粉が、その吐出溝の端部に堆積することなく、吐出口に滞りなく流出される。
【００１２】
　（請求項５の発明）
　請求項１〜４に記載した何れかのベーンポンプにおいて、
　ベーンポンプが使用のため据え付けられた状態にある時に、吐出溝は、ロータ回転方向の端部を天地方向の略地方向に向けて配置され、吐出口は、吐出溝のロータ回転方向の端部から天地方向の略地方向に向かって形成されていることを特徴とする。
　この構成では、ポンプ室から流出する作動流体の流れに乗って、摩耗粉を効果的に吐出口から排出でき、摩耗粉が吐出溝に堆積することを防止できる。
【００１３】
　（請求項６の発明）
　請求項５に記載したベーンポンプにおいて、
　ロータの回転中心軸を天地方向と略直交する方向に向けて使用した時に、吐出溝は、ロータ回転方向の端部を略地方向に向けて配置され、吐出口は、吐出溝のロータ回転方向の端部から略地方向に向かって形成されていることを特徴とする。
　この構成では、ロータの回転中心軸を天地方向と略直交する方向に向けて使用した場合に、ポンプ室から流出する作動流体の流れに乗って、摩耗粉を効果的に吐出口から排出でき、摩耗粉が吐出溝に堆積することを防止できる。
【００１４】
　（請求項７の発明）
　請求項５または６に記載したベーンポンプにおいて、
　吐出口は、少なくとも一方の側面がロータの回転接線方向に形成されていることを特徴とする。
　この構成では、吐出溝から流出する作動流体の流れ方向に沿って吐出口を形成できるので、作動流体の流れによって効果的に摩耗粉を排出できる。
【００１５】
　（請求項８の発明）
　請求項１〜４に記載した何れかのベーンポンプにおいて、
　吐出口は、ロータの回転中心軸を略天地方向に向けて使用した時に、吐出溝のロータ回転方向の端部から略地方向に向かって形成された第１の吐出口と、ロータの回転中心軸を天地方向と略直交する方向に向けて使用した時に、吐出溝のロータ回転方向の端部から略地方向に向かって形成された第２の吐出口とで構成されていることを特徴とする。
【００１６】
　この構成によれば、ロータの回転中心軸を略天地方向に向けて使用した時には、吐出溝に流れ込んだ摩耗粉が第１の吐出口から作動流体の流れと共に、自重落下によって排出され、ロータの回転中心軸を天地方向と略直交する方向に向けて使用した時には、吐出溝に流れ込んだ摩耗粉が第２の吐出口から作動流体の流れと共に、自重落下によって排出される。
【００１７】
　（請求項９の発明）
　本発明のベーンポンプは、ポンプ室の容積が減少する領域にポンプ室と連通して凹設された吐出溝を有し、この吐出溝のロータ回転方向の端部と反回転方向の端部との間に吐出口が連通して設けられている。また、吐出溝は、ベーンポンプが使用のため据え付けられた状態にある時に、ロータ回転方向の端部から吐出口に向かって天地方向の略地方向に傾斜して設けられていることを特徴とする。
　この構成では、ロータの回転方向に吐出口を過ぎて吐出溝の端部まで流れた摩耗粉が、吐出溝の傾斜によって吐出口へ導かれるため、吐出溝の端部に摩耗粉が堆積するのを抑制できる。
【００１８】
　（請求項１０の発明）
　請求項９に記載したベーンポンプにおいて、
　ロータの回転中心軸を略天地方向に向けて使用した時に、吐出溝の底面が、ロータ回転方向の端部から吐出口に向かって略地方向に傾斜していることを特徴とする。この構成では、摩耗粉が吐出溝の端部まで流れてきた場合でも、吐出溝の底面の傾斜に沿って吐出口へ導かれ、そのまま吐出口より流出するため、吐出溝に摩耗粉が堆積することを抑制できる。
【発明を実施するための最良の形態】
【００１９】
　本発明を実施するための最良の形態を以下の実施例により詳細に説明する。
【実施例１】
【００２０】
　図１はロータ７側から見たプレート４の平面図、図２は吐出溝１２に沿って切断したプレート４の断面図である。
　本実施例のベーンポンプ１は、例えば自動車のエバポリークチェックに使用されるもので、図５に示す様に、環状体であるリング２の両面側に一組のプレート３、４を配置して、リング２の内側に円形のロータ室５（図４参照）を形成し、そのロータ室５にべーン６を有するロータ７が回転可能に収容されたポンプ本体と、ロータ７を回転駆動するモータ８とを備えている。なお、このベーンポンプ１は、図３（ポンプ本体の構造を簡略化した断面図）に示す様に、ロータ７の回転中心軸（モータ回転軸８ａ）を略天地方向に向けて使用される。
【００２１】
　ロータ７は、図４に示す様に、自身の外径がロータ室５の内径より小さく形成され、モータ８によって駆動される回転中心軸が、ロータ室５の中心とずれた位置に設定されている。このロータ７は、外周面から中心方向に向かって穿設されたベーン溝７ａを有し、このベーン溝７ａが周方向に複数箇所、等間隔（図４では４カ所、９０度間隔）に設けられている。
【００２２】
　べーン６は、ロータ７の各ベーン溝７ａにそれぞれ往復動可能に保持され、図示しないスプリングによりロータ７の外径方向へ付勢されて、自身の先端部がリング２の内周面に当接している。なお、ロータ７を駆動するモータ８の駆動トルクが小さい（ポンプ能力が小さい）場合は、スプリングを使用することなく、遠心力のみでベーン６をロータ７の外径方向へ付勢しても良い。
　これにより、ロータ室５の内周面とロータ７の外周面との間にべーン６によって区画されたポンプ室９が複数箇所（図４では４カ所）形成され、このポンプ室９の容積がロータ７の回転に伴って変化する。
【００２３】
　一組のプレート３、４のうち、リング２の下側に配置される一方のプレート４には、図１に示す様に、吸入溝１０と吸入口１１、及び吐出溝１２と吐出口１３が設けられている。
　吸入溝１０は、ロータ７の回転に伴ってポンプ室９の容積が増大する領域に設けられ、リング２の内周に沿って円弧状に形成されている。
　吐出溝１２は、ロータ７の回転に伴ってポンプ室９の容積が減少する領域に設けられ、吸入溝１０と同様に、リング２の内周に沿って円弧状に形成されている。なお、一組のプレート３、４のうち、何方か一方はリング２と一体に形成されていても良い。
【００２４】
　吸入口１１は、ポンプ室９の容積が増大する時に、吸入溝１０を介してポンプ室９と連通し、そのポンプ室９に作動流体（本実施例では空気またはガソリン蒸気）を導入する。　吐出口１３は、ポンプ室９の容積が減少する時に、吐出溝１２を介してポンプ室９と連通し、そのポンプ室９から作動流体を吐出する。但し、この吐出口１３は、図２（ａ）に示す様に、吐出溝１２のロータ回転方向の端部（終端部と呼ぶ）に連通し、その吐出溝１２から天地方向（図示上下方向）の略地方向に向けて開口している。また、図２（ｂ）に示す様に、吐出溝１２のロータ回転方向の終端面１２ａと、吐出口１３のロータ回転方向の側面１３ａとは、段差の無い一つの連続的な面として接続されている。
【００２５】
　次に、ベーンポンプ１の作動を説明する。
　モータ８に駆動されてロータ７が回転すると、べーン６によって区画された４つのポンプ室９がそれぞれ容積変化を伴いながら周方向に移動する。
　ここで、１つのポンプ室９を例にとって説明する。
　ポンプ室９の容積が増大する過程で、そのポンプ室９が吸入溝１０に連通すると、吸入溝１０を介して吸入口１１からポンプ室９に作動流体が流入する。
【００２６】
　ポンプ室９を区画する前後２枚のべーン６のうち、後側（反回転方向側）のべーン６が吸入溝１０の前端（回転方向側の端部）を過ぎると、ポンプ室９と吸入溝１０との連通が遮断されて、ポンプ室９が密閉される。
　その後、ポンプ室９の前側に配置されたべーン６が吐出溝１２の後端（反回転方向側の端部）を通過すると、ポンプ室９と吐出溝１２とが連通して、ポンプ室９の作動流体が吐出溝１２を介して吐出口１３より吐出される。
【００２７】
　（実施例１の効果）
　このベーンポンプ１では、ロータ７の回転に伴ってべーン６の先端部がロータ室５の内周面に摺接するため、両者の摩耗により摩耗粉が発生する。この摩耗粉は、作動流体に含まれてポンプ本体の内部を移動し、ポンプ室９が吐出溝１２と連通した時に、作動流体と共に吐出溝１２に流れ込む。ここで、本実施例のベーンポンプ１は、図２に示した様に、吐出口１３の入口が吐出溝１２の終端部に開口しており、且つ吐出溝１２の終端面１２ａと吐出口１３の側面１３ａとが段差の無い一つの連続的な面として接続されているので、作動流体と共に吐出溝１２に流れ込んだ摩耗粉は、吐出溝１２の終端部に堆積することなく、図２（ａ）に矢印で示す様に、作動流体と共に吐出口１３より効果的に排出される。　
【００２８】
　なお、吐出溝１２の終端部以外では、吐出口１３に向かう作動流体の流れが生じているので、吐出溝１２の終端部以外に摩耗粉が堆積することはなく、作動流体の流れに乗って吐出口１３より排出される。これにより、吐出溝１２に流れ込んだ摩耗粉が、ベーン６によって吐出溝１２から掻き出されることはなく、ポンプ本体の摺動部クリアランスへの摩耗粉の噛み込みを防止できる。その結果、モータ８の駆動トルクが小さいポンプでもロックすることはなく、信頼性を向上できる。
【実施例２】
【００２９】
　図６は吐出溝１２に沿って切断したプレート４の断面図である。
　本実施例のベーンポンプ１は、図６に示す様に、吐出口１３のロータ回転方向の側面１３ａが、吐出溝１２のロータ回転方向の終端面１２ａより反ロータ回転方向（図示右方向）に位置し、その吐出口１３の側面１３ａと吐出溝１２の終端面１２ａとの間に段差が設けられている。但し、段差の長さＨは、吐出溝１２の深さＤ以下の長さに設定されている。
【００３０】
　上記の構成では、吐出口１３の側面１３ａと吐出溝１２の終端面１２ａとの間に段差が設けられることによって、吐出溝１２の終端部に角部が形成され、この角部に摩耗粉が堆積する（図６参照）。この摩耗粉同士を結合し、且つ堆積させる力は、摩耗粉同士の分子間力、摩耗粉同士の摩擦力、作動流体の表面張力、吐出溝１２が形成されたプレート４の材料と摩耗粉との分子間力、プレート４の材料と摩耗粉との摩擦力である。すなわち、吐出溝１２の終端面１２ａを基準として図示Ｈ方向に堆積する力と、段差面（段差を有する吐出溝１２の底面）を基準として図示Ｄ方向に堆積する力とが均等に働く。よって、堆積物は、Ｄ方向の脚長Ｌ１とＨ方向の脚長Ｌ２とが略等しくなる様に、吐出溝１２の終端面１２ａと段差面とで形成される角部に堆積していく。
【００３１】
　ここで、図７に示す様に、段差の長さＨが吐出溝１２の深さＤより大きい場合には、摩耗粉の堆積が進むに連れて、Ｌ１とＬ２とが略等しく長くなってくると、Ｌ２が吐出口１３に到達するまえに、Ｌ１がベーン６の作動領域まで到達する。その後は、摩耗粉や、その堆積物がベーン６の作動領域に供給されやすくなり、その摩耗粉や堆積物がプレート４とロータ７との間に入り込んで、噛み込みの原因となる。
【００３２】
　一方、図６に示す様に、段差の長さＨが吐出溝１２の深さＤより小さい場合には、摩耗粉の堆積が進むに連れてＬ１とＬ２とが略等しく長くなってくると、Ｌ１がベーン６の作動領域に到達するまえに、Ｌ２が吐出口１３に到達する。その後は、摩耗粉や、その堆積物が吐出口１３から排出されるので、図７に示すＤ＜Ｈの場合に比べて、摩耗粉や堆積物がプレート４とロータ７との間に入り込む機会を減少させることができる。
【実施例３】
【００３３】
　図８は吐出溝１２に沿って切断したプレート４の断面図である。
　本実施例のベーンポンプ１は、図８に示す様に、吐出口１３のロータ回転方向の側面１３ａが、吐出溝１２のロータ回転方向の終端面１２ａより更にロータ回転方向（図示左側）に位置している。この構成によれば、吐出口１３の側面１３ａと吐出溝１２の終端面１２ａとの間に、摩耗粉が堆積できる様な角部が形成されないので、作動流体と共に吐出溝１２の終端部まで流れてきた摩耗粉は、図示矢印で示す様に、吐出溝１２の終端部にて堆積することなく、吐出口１３に滞りなく流出される。
【実施例４】
【００３４】
　図９はポンプ本体の構造を簡略化した断面図、図１０はロータ７側から見たプレート４の平面図、図１１は吐出溝１２に沿って切断したプレート４の断面図である。
　本実施例のベーンポンプ１は、実施例１と同様に、ロータ７の回転中心軸を略天地方向に向けて使用するものであり、吐出口１３が吐出溝１２の始端部（反回転方向の端部）と終端部との間（略中間部）に位置している（図１０参照）。また、吐出溝１２は、図１１に示す様に、自身の底面が、両端部（始端部及び終端部）から吐出口１３に向かって略地方向に傾斜して設けられている。
【００３５】
　この構成では、吐出溝１２の最も低い位置に吐出口１３の入口が開口しているので、吐出溝１２に流れ込んだ摩耗粉は、作動流体の流れと共に、自重により吐出口１３に向かって落下し、吐出口１３より排出される。従って、吐出溝１２の始端部側から吐出溝１２に流れ込んだ摩耗粉が、吐出口１３の入口を通り過ぎて吐出溝１２の終端部側へ流れ込んだ場合でも、そのまま吐出溝１２の終端部に堆積していくことはなく、吐出溝１２の底面を作動流体の流れと共に、自重により落下して吐出口１３から排出される。
　なお、図１１では、吐出溝１２の始端部側にも傾斜を設けているが、始端部側は作動流体の流れによって摩耗粉を吐出口１３に排出できるので、終端部側だけに傾斜を設けても良い。
【実施例５】
【００３６】
　図１２はポンプ本体の構造を簡略化した断面図、図１３はロータ７側から見たプレート４の平面図である。
　本実施例のベーンポンプ１は、ロータ７の回転中心軸を天地方向と略直交する方向に向けて使用する場合の一例である。
　このベーンポンプ１は、図１３に示す様に、吐出溝１２の終端部を略地方向に向けて配置され、吐出口１３が吐出溝１２の終端部から略地方向に向かって形成されている。
【００３７】
　また、吐出口１３は、図１４に示す様に、吐出溝１２の終端部から略地方向に向かって形成されると共に、一方の側面（図示左側の側面）がロータ７の回転接線方向に沿って形成され、入口から出口に向かって次第に広くなる様に形成しても良い。
　あるいは、図１５に示す様に、吐出口１３の全体をロータ７の回転接線方向に向けて形成しても良い。
【００３８】
　この実施例５の構成によれば、吐出溝１２が略天地方向を向いて使用され、且つ吐出溝１２の始端部より終端部の方が低い位置に配置されるので、ロータ７の回転中心軸を天地方向と略直交する方向に向けて使用した場合でも、吐出溝１２に摩耗粉が堆積することはなく、作動流体と共に吐出口１３から効果的に排出できる。
　また、図１４及び図１５に示す構成では、作動流体をロータ７の回転接線方向に吐出できるので、その作動流体の流れに乗って、より効果的に摩耗粉を吐出口１３から排出できる。
【実施例６】
【００３９】
　図１６はロータ７側から見たプレート４の平面図、図１７はプレート４の断面図である。　
　本実施例のベーンポンプ１は、図１６に示す様に、第１の吐出口１３ｂと第２の吐出口１３ｃとを設けた場合の一例である。
　即ち、吐出口１３は、ロータ７の回転中心軸を略天地方向に向けて使用した時に、吐出溝１２の終端部から略地方向に向かって形成された第１の吐出口１３ｂと、ロータ７の回転中心軸を天地方向と略直交する方向に向けて使用した時に、吐出溝１２の終端部から略地方向に向かって形成された第２の吐出口１３ｃとで構成される。
【００４０】
　この構成によれば、ロータ７の回転中心軸を略天地方向に向けて使用した時（図１７参照）には、実施例１と同じく、吐出溝１２に流れ込んだ摩耗粉が第１の吐出口１３ｂから作動流体の流れと共に、自重により落下して排出され、ロータ７の回転中心軸を天地方向と略直交する方向に向けて使用した時（図１６参照）には、実施例５と同じく、吐出溝１２に流れ込んだ摩耗粉が、第２の吐出口１３ｃから作動流体の流れと共に、自重により落下して排出される。
　これにより、ロータ７の回転中心軸を、I.略天地方向、II. 天地方向と略直交する方向の何れの方向に向けて使用した場合でも摩耗粉を吐出口１３より排出でき、吐出溝１２に摩耗粉が堆積するのを防止できる。
【実施例７】
【００４１】
　図１８はポンプ本体の構造を簡略化した断面図、図１９はポンプ本体の断面図である。　本実施例のベーンポンプ１は、吐出溝１２と吐出口１３をそれぞれリング２に設けた場合の一例であり、ロータ７の回転中心軸を天地方向と略直交する方向に向けて使用する。
　吐出溝１２は、図１９に示す様に、リング２の内周面を円弧状に凹設して形成され、吐出口１３は、吐出溝１２の終端部から略地方向に向けて形成され、且つリング２の外周面まで貫通している（図１８参照）。
【００４２】
　この構成においても、実施例５と同様の効果を得ることができる。
　また、本実施例は、上記の実施例６に記載した構成にも適用できる。
　更に、ロータ７の回転中心軸を略天地方向に向けて使用する場合（例えば実施例１及び実施例４の場合）には、リング２とプレート４の両方に吐出口１３を設けることで対応可能である。
【図面の簡単な説明】
【００４３】
【図１】ロータ側から見たプレートの平面図である（実施例１）。
【図２】吐出溝に沿って切断したプレートの断面図である（実施例１）。
【図３】ポンプ本体の構造を簡略化した断面図である（実施例１）。
【図４】リングとロータの平面図である（実施例１）。
【図５】ベーンポンプの全体構造を示す断面図（ａ）と、そのＡ視図（ｂ）である。
【図６】吐出溝に沿って切断したプレートの断面図である（実施例２）。
【図７】吐出溝に沿って切断したプレートの断面図である（実施例２）。
【図８】吐出溝に沿って切断したプレートの断面図である（実施例３）。
【図９】ポンプ本体の構造を簡略化した断面図である（実施例４）。
【図１０】ロータ側から見たプレートの平面図である（実施例４）。
【図１１】吐出溝に沿って切断したプレートの断面図である（実施例４）。
【図１２】ポンプ本体の構造を簡略化した断面図である（実施例５）。
【図１３】ロータ側から見たプレートの平面図である（実施例５）。
【図１４】ロータ側から見たプレートの平面図である（実施例５）。
【図１５】ロータ側から見たプレートの平面図である（実施例５）。
【図１６】ロータ側から見たプレートの平面図である（実施例６）。
【図１７】プレートの断面図である（実施例６）。
【図１８】ポンプ本体の構造を簡略化した断面図である（実施例７）。
【図１９】ポンプ本体の断面図である（実施例７）。
【図２０】ベーンポンプの断面図である（背景技術）。
【図２１】ベーンポンプの断面図である（背景技術）。
【符号の説明】
【００４４】
　　１　　ベーンポンプ
　　５　　ロータ室
　　６　　べーン
　　７　　ロータ
　　７ａ　ベーン溝
　　８ａ　モータ回転軸（ロータの回転中心軸）
　　９　　ポンプ室
　１１　　吸入口
　１２　　吐出溝
　１２ａ　吐出溝のロータ回転方向の終端面
　１３　　吐出口
　１３ａ　吐出口のロータ回転方向の側面
　１３ｂ　第１の吐出口
　１３ｃ　第２の吐出口
　　Ｈ　　段差の長さ
　　Ｄ　　吐出溝の深さ
【図１】
2004076735.tif 000003
【図２】
2004076735.tif 000004
【図３】
2004076735.tif 000005
【図４】
2004076735.tif 000006
【図５】
2004076735.tif 000007
【図６】
2004076735.tif 000008
【図７】
2004076735.tif 000009
【図８】
2004076735.tif 000010
【図９】
2004076735.tif 000011
【図１０】
2004076735.tif 000012
【図１１】
2004076735.tif 000013
【図１２】
2004076735.tif 000014
【図１３】
2004076735.tif 000015
【図１４】
2004076735.tif 000016
【図１５】
2004076735.tif 000017
【図１６】
2004076735.tif 000018
【図１７】
2004076735.tif 000019
【図１８】
2004076735.tif 000020
【図１９】
2004076735.tif 000021
【図２０】
2004076735.tif 000022
【図２１】
2004076735.tif 000023